(57)【要約】【課題】無線通信の発生量を抑えることができるようにするとともに、相手機器の画像データの閲覧を円滑に行うことができるようにする。【解決手段】別の撮像装置２０２との間の距離を測定し、測定結果に応じて、別の撮像装置２０２に対して画像データを要求し、別の撮像装置２０２との距離の測定結果に応じて画像表示部１１３に表示する内容を切り替えるようにして、設定された距離より小さい位置にいるときには無線通信を発生させないようにし、直接見せ合うことができなくなる距離に位置した場合や遮蔽物などで物理的に直接見ることができなくなった場合に、別の撮像装置２０２が保持している画像を画像表示部１１３に表示させるようにする。【選択図】図１
2008187499.tif 000002
【特許請求の範囲】
【請求項１】
外部装置と通信可能な撮像装置であって、
前記外部装置との間の距離を測定する距離測定手段と、
画像データを画像化して表示部に表示する表示手段と、
前記外部装置から画像データを受信する通信手段と、
前記距離測定手段による測定結果に応じて前記表示部に表示する内容を切り替えるように前記表示手段を制御する表示制御手段とを備えることを特徴とする撮像装置。
【請求項２】
前記通信手段は、前記距離測定手段による測定結果に応じて、前記画像データの受信を行うことを特徴とする請求項１に記載の撮像装置。
【請求項３】
前記表示制御手段は、前記距離測定手段による測定結果に応じて、自装置が有するメモリに記憶された画像データを画像化して前記表示部に表示するか、前記通信手段により前記外部装置から受信した画像データを画像化して前記表示部に表示するかを切り替えることを特徴とする請求項１に記載の撮像装置。
【請求項４】
前記表示制御手段は、前記距離測定手段によって測定された距離が定められた範囲より小さい場合には、前記メモリに記憶されている画像データを画像化して前記表示部に表示し、前記距離測定手段により測定された距離が定められた範囲より大きい場合には、前記通信手段により前記外部装置から受信した画像データを画像化して前記表示部に表示するように切り替えることを特徴とする請求項３に記載の撮像装置。
【請求項５】
前記表示制御手段は、前記距離測定手段によって測定された距離が定められた範囲より小さい場合には、自装置が有するメモリに記憶されている画像データを画像化して前記表示部に表示し、前記距離測定手段によって測定された距離が定められた範囲より大きい場合には、前記表示部に表示される表示画面を分割して前記メモリに記憶されている画像データを画像化した画像と、前記通信手段により前記外部装置から受信した画像データを画像化した画像とを表示するように切り替えることを特徴とする請求項１に記載の撮像装置。
【請求項６】
前記距離測定手段によって測定された距離が定められた範囲より大きい場合において、前記表示部に表示されている画像の変更要求があった場合は、変更する画像データを前記外部装置に対して要求する画像データ要求手段を有することを特徴とする請求項１〜５の何れか１項に記載の撮像装置。
【請求項７】
前記表示制御手段は、前記距離測定手段により測定された距離が定められた範囲より小さくなった場合、前記距離が定められた範囲より小さくなった旨を前記表示部に表示し、前記定められた範囲より大きくなった場合は、前記定められた範囲より大きくなった旨を前記表示部に表示することを特徴とする請求項１〜５の何れか１項に記載の撮像装置。
【請求項８】
外部装置と通信可能な撮像装置であって、
前記外部装置との間の通信電波状態を測定する通信電波測定手段と、
画像データを画像化して表示部に表示する表示手段と、
前記通信電波測定手段による測定結果に応じて、前記外部装置から画像データを受信する通信手段と、
前記通信電波測定手段による測定結果に応じて、前記表示部に表示する内容を切り替えるように前記表示手段を制御する表示制御手段とを備えることを特徴とする撮像装置。
【請求項９】
前記表示制御手段は、前記通信電波測定手段による測定結果に応じて、自装置が有するメモリに記憶されている画像データを画像化して前記表示部に表示するか、前記通信手段により前記外部装置から受信した画像データを画像化して前記表示部に表示するかを切り替えることを特徴とする請求項８に記載の撮像装置。
【請求項１０】
前記表示制御手段は、前記通信電波測定手段によって測定された通信電波状態が定められた値より良好である場合には、前記メモリに記憶されている画像データを画像化して前記表示部に表示し、前記通信電波測定手段によって測定された通信電波状態が定められた値より悪い場合には、前記通信手段により前記外部装置から受信した画像データを画像化して前記表示部に表示するように切り替えることを特徴とする請求項９に記載の撮像装置。
【請求項１１】
前記表示制御手段は、前記通信電波測定手段によって測定された通信電波状態が定められた値より良好である場合には、自装置が有するメモリに記憶されている画像データを画像化して前記表示部に表示し、前記通信電波測定手段によって測定された通信電波状態が定められた値より悪い場合には、前記表示部に表示される表示画面を分割して前記メモリに記憶されている画像データに基づく画像と前記通信手段により前記外部装置から受信した画像データに基づく画像とを表示するように切り替えることを特徴とする請求項８に記載の撮像装置。
【請求項１２】
前記通信電波測定手段によって測定された通信電波状態が定められた値より良好である場合に、前記外部装置が保持しているすべての画像データを前記外部装置に対して要求する画像データ要求手段を有することを特徴とする請求項８〜１１の何れか１項に記載の撮像装置。
【請求項１３】
前記通信電波測定手段により測定された通信電波状態が定められた値より悪い場合において、前記メモリに記憶されていない画像データが前記外部装置に追加されている場合は、前記画像データ要求手段は、前記追加された画像データを前記外部装置に対して要求することを特徴とする請求項１２に記載の撮像装置。
【請求項１４】
前記通信電波測定手段により測定された通信電波状態が定められた値より悪い場合において、前記メモリに記憶されている画像データの中に前記外部装置において削除された画像データがある場合は、前記外部装置において削除された画像データを前記メモリに記憶されている画像データの中から削除することを特徴とする請求項８〜１１の何れか１項に記載の撮像装置。
【請求項１５】
前記表示制御手段は、前記通信電波測定手段によって測定された通信電波状態が定められた値より良好になった場合、前記通信電波状態が定められた値より良好になった旨を前記表示部に表示し、前記通信電波状態が定められた値より悪い場合は、前記通信電波状態が定められた値より悪い旨を前記表示部に表示することを特徴とする請求項８〜１１の何れか１項に記載の撮像装置。
【請求項１６】
使用者の操作により入力信号を入力する操作部を有し、
前記表示制御手段は、前記操作部に入力された入力信号に基づいて表示の切り替えを行うことを特徴とする請求項７または１５に記載の撮像装置。
【請求項１７】
外部装置と通信可能な撮像装置の制御方法であって、
前記外部装置との間の距離を測定する距離測定工程と、
画像データを画像化して表示部に表示する表示制御工程と、
前記外部装置から画像データを受信する通信工程とを備え、
前記表示制御工程においては、前記距離測定工程における測定結果に応じて前記表示部に表示する内容を切り替えるように制御することを特徴とする撮像装置の制御方法。
【請求項１８】
外部装置と通信可能な撮像装置の制御方法であって、
前記外部装置との間の通信電波状態を測定する通信電波測定工程と、
画像データを画像化して表示部に表示する表示制御工程と、
前記通信電波測定工程における測定結果に応じて、前記外部装置から画像データを受信する通信工程とを備え、
前記表示制御工程においては、前記通信電波測定工程における測定結果に応じて前記表示部に表示する内容を切り替えるように制御することを特徴とする撮像装置の制御方法。
【請求項１９】
外部装置との間の距離を測定する距離測定工程と、
画像データを画像化して表示部に表示する表示制御工程と、
前記外部装置から画像データを受信する通信工程とをコンピュータに実行させ、
前記表示制御工程においては、前記距離測定工程における測定結果に応じて前記表示部に表示する内容を切り替えるように制御するようにコンピュータに実行させることを特徴とするプログラム。
【請求項２０】
外部装置との間の通信電波状態を測定する通信電波測定工程と、
画像データを画像化して表示部に表示する表示制御工程と、
前記通信電波測定工程における測定結果に応じて、前記外部装置から画像データを受信する通信工程とをコンピュータに実行させ、
前記表示制御工程においては、前記通信電波測定工程における測定結果に応じて前記表示部に表示する内容を切り替えるように制御するようにコンピュータに実行させることを特徴とするプログラム。
【発明の詳細な説明】
【技術分野】
【０００１】
本発明は撮像装置、撮像装置の制御方法、及びプログラムに関し、特に、撮像装置が通信手段を介して他の画像処理装置の有する画像を再生するための操作性を向上させるために用いて好適な技術に関する。
【背景技術】
【０００２】
デジタルカメラの急速な普及に伴い、電子化された画像データを知り合い同士で共有する機会が増えてきている。さらに近年では、無線ＬＡＮなどの無線通信機能を搭載するデジタルカメラが登場している。前記デジタルカメラにおいては、アドホックモードと呼ばれる接続形態によって電子機器同士でデータのやり取りが可能となったことから、デジタルカメラやストレージ間で画像を交換する機会が増えている。
【０００３】
例えば、結婚式などにおいて、複数の友人がカメラを所持していて、それぞれが撮影を行うと、撮影された画像が複数の画像処理機器に散在する場合がある。すなわち、自身が撮影していない被写体やシーンの画像を他の撮影者が保持していたり、自身が撮影した同一被写体、同一シーンの画像を他の撮影者が保持していたりする場合がある。このとき、自身が撮影した画像よりも綺麗に写っている画像を他の撮影者が保持している場合がある。
【０００４】
この場合、従来は、お互いのデジタルカメラの表示部を直接見せ合って誰がどのような画像を保持しているかを確認する方法が考えられる。しかしながら、直接見せ合うのは手間がかかるため、自身の表示部に相手の装置にある画像を表示してしまうという方法も考えられ、この方法を実現することを可能とするための先行技術が存在する。例えば、デジタルカメラの表示装置に、接続先の機器に格納されている画像を統括的に表示し、閲覧することを可能にしたデジタルカメラが提案されている（例えば、特許文献１参照）。
【０００５】
【特許文献１】特開２００４−３２８０３８号公報
【発明の開示】
【発明が解決しようとする課題】
【０００６】
前述したように、相手の機器にどのような画像が保持されているのかを確認するときに、直接見せ合うのは手間がかかる。そこで、無線通信で接続された機器同士で画像交換を行い、自身の表示部に相手の装置にある画像を表示させる方法がある。この場合、相手の装置に保持されているすべての画像データをあらかじめ自身の機器に受信する方法と、画像表示要求があるたびに画像データを一枚ずつ受信する方法とが考えられる。
【０００７】
しかし、デジタルカメラ等のモバイル機器の場合、一般的に着脱可能な記憶媒体を利用している。したがって、その記憶媒体の記憶容量には限度があり、撮影した画像が大量にあると、記憶媒体の記憶容量に空きがない場合がある。また、撮影用に空き領域を保持しておきたいという事情から、すべての画像データを自身の機器にあらかじめ受信することは困難である。また、画像データそのものではなく圧縮されたデータ、もしくはサムネイルサイズのデータを利用するようにしたとしても、解決できる問題ではなかった。
【０００８】
そのため、画像表示要求があるたびに画像データを一枚ずつ受信する方法が適切であると考えられる。ところが、この方法を行うと、画像表示要求がある度に無線通信が発生するので、通信量が増大してしまう。この結果、自身の機器及び相手機器の双方において、処理速度が低下したり電力を大量に浪費したりしてしまうという問題点があった。
【０００９】
また、前述したように、処理速度が低下したり電力を浪費したりすることを回避するために無線通信の発生量を単純に抑えるようにすると、相手機器の画像の閲覧を円滑に行うことができなくなってしまうという問題点があった。
【００１０】
本発明は前述の問題点に鑑み、無線通信の発生量を抑えることができるようにするとともに、相手機器の画像の閲覧を円滑に行うことができるようにすることを目的としている。
【課題を解決するための手段】
【００１１】
本発明の撮像装置は、外部装置と通信可能な撮像装置であって、前記外部装置との間の距離を測定する距離測定手段と、画像データを画像化して表示部に表示する表示手段と、前記外部装置から画像データを受信する通信手段と、前記距離測定手段による測定結果に応じて前記表示部に表示する内容を切り替えるように前記表示手段を制御する表示制御手段とを備えることを特徴とする。
また、本発明の撮像装置の他の特徴とするところは、外部装置と通信可能な撮像装置であって、前記外部装置との間の通信電波状態を測定する通信電波測定手段と、画像データを画像化して表示部に表示する表示手段と、前記通信電波測定手段による測定結果に応じて、前記外部装置から画像データを受信する通信手段と、前記通信電波測定手段による測定結果に応じて、前記表示部に表示する内容を切り替えるように前記表示手段を制御する表示制御手段とを備えることを特徴とする。
【００１２】
本発明の撮像装置の制御方法は、外部装置と通信可能な撮像装置の制御方法であって、前記外部装置との間の距離を測定する距離測定工程と、画像データを画像化して表示部に表示する表示制御工程と、前記外部装置から画像データを受信する通信工程とを備え、前記表示制御工程においては、前記距離測定工程における測定結果に応じて前記表示部に表示する内容を切り替えるように制御することを特徴とする。
また、本発明の撮像装置の制御方法の他の特徴とするところは、外部装置と通信可能な撮像装置の制御方法であって、前記外部装置との間の通信電波状態を測定する通信電波測定工程と、画像データを画像化して表示部に表示する表示制御工程と、前記通信電波測定工程における測定結果に応じて、前記外部装置から画像データを受信する通信工程とを備え、前記表示制御工程においては、前記通信電波測定工程における測定結果に応じて前記表示部に表示する内容を切り替えるように制御することを特徴とする。
【００１３】
本発明のプログラムは、外部装置との間の距離を測定する距離測定工程と、画像データを画像化して表示部に表示する表示制御工程と、前記外部装置から画像データを受信する通信工程とをコンピュータに実行させ、前記表示制御工程においては、前記距離測定工程における測定結果に応じて前記表示部に表示する内容を切り替えるように制御するようにコンピュータに実行させることを特徴とする。
また、本発明のプログラムの他の特徴とするところは、外部装置との間の通信電波状態を測定する通信電波測定工程と、画像データを画像化して表示部に表示する表示制御工程と、前記通信電波測定工程における測定結果に応じて、前記外部装置から画像データを受信する通信工程とをコンピュータに実行させ、前記表示制御工程においては、前記通信電波測定工程における測定結果に応じて前記表示部に表示する内容を切り替えるように制御するようにコンピュータに実行させることを特徴とする。
【発明の効果】
【００１４】
本発明によれば、２つの機器の表示部を直接見せ合うことのできる範囲であれば無線通信が発生しないようにすることができるので、無線通信の発生量を抑えることができる。また、直接見せ合うことができなくなる距離に位置した場合や、遮蔽物などで物理的に直接見ることができなくなった場合には相手機器の画像を受信して自身の機器の表示部に表示させることができるので、相手機器の画像の閲覧を円滑に行うことができる。
【発明を実施するための最良の形態】
【００１５】
（第１の実施形態）
以下、本発明の好適な実施形態について、図面を参照しながら詳細に説明する。
本実施形態では、撮像装置が距離を測定する手段を備えており、撮像装置で利用する記憶媒体の記憶容量に制限がある場合、また消費電力を考慮する必要がある場合における本発明の実施形態について説明する。
【００１６】
図１は、本実施形態における撮像装置の機能構成例を示すブロック図である。
１０１は本実施形態において外部装置と通信可能な撮像装置である。１０２は撮影レンズであり、１０３は絞り機能を備えるシャッターである。１０４は光学像を電気信号に変換する撮像素子であり、１０５は撮像素子１０４から出力されるアナログ信号をディジタル信号に変換するＡ／Ｄ変換器である。
【００１７】
１０６は撮像素子１０４、Ａ／Ｄ変換器１０５、及びＤ／Ａ変換器１０７にクロック信号や制御信号を供給するタイミング発生回路であり、メモリ制御回路１０８及びシステム制御回路１０９により制御される。１１０は画像処理回路であり、Ａ／Ｄ変換器１０５から出力されるデータ或いはメモリ制御回路１０８から出力されるデータに対して所定の画素補間処理や色変換処理を行う。
【００１８】
１０８はメモリ制御回路であり、Ａ／Ｄ変換器１０５、タイミング発生回路１０６、画像処理回路１１０、画像表示メモリ１１１、Ｄ／Ａ変換器１０７、及び第１のメモリ１１２を制御する。Ａ／Ｄ変換器１０５のデータは、画像処理回路１１０及びメモリ制御回路１０８、または直接メモリ制御回路１０８を介して、画像表示メモリ１１１或いは第１のメモリ１１２に書き込まれる。
【００１９】
１１１は画像表示メモリであり、１０７はＤ／Ａ変換器である。１１３はＴＦＴ、ＬＣＤ等から成る画像表示部であり、画像表示メモリ１１１に書き込まれた表示用の画像データに基づいてＤ／Ａ変換器１０７を介して画像表示部１１３により画像が表示される。画像表示部１１３を用いて撮像した画像を逐次表示すれば、電子ファインダー機能を実現することが可能である。
【００２０】
１１２は撮影した静止画像や動画像を格納するための第１のメモリであり、所定枚数の静止画像や所定時間の動画像を格納するのに十分な記憶容量を備えている。第１のメモリ１１２は、撮像装置の場合、一般的にはＳＤメモリカードのような着脱可能なカード式のフラッシュメモリに相当する。
【００２１】
１１４は絞り機能を備えるシャッター１０３を制御する露光制御部であり、フラッシュ部１１７と連携することによりフラッシュ調光機能も有する。１１５は撮影レンズ１０２のフォーカシングを制御する測距制御部であり、１１６は撮影レンズ１０２のズーミングを制御するズーム制御部である。１１７はフラッシュ部であり、ＡＦ補助光の投光機能、及びフラッシュ調光機能も有する。
【００２２】
１０９は撮像装置１０１全体を制御するシステム制御回路であり、外部装置に対して画像データを要求する画像データ要求手段と、画像表示部１１３などの画像表示を制御する表示制御手段とが含まれている。１２０はシステム制御回路１０９の動作用の定数、変数、プログラム、及びＵＳＢ通信アプリケーション等を記憶する第２のメモリである。
【００２３】
１１８は電源制御部であり、電池検出回路、ＤＣ−ＤＣコンバータ、及び通電するブロックを切り替えるスイッチ回路等により構成されている。また、電池の装着の有無、電池の種類、電池残量の検出を行い、検出結果及びシステム制御回路１０９の指示に基づいてＤＣ−ＤＣコンバータを制御し、必要な電圧を必要な期間、記録媒体を含む各部へ供給する。１１９はアルカリ電池やリチウム電池等の一次電池、NiCd電池、NiMH電池、Li電池等の二次電池、またはＡＣアダプター等からなる電源部である。
【００２４】
１２１はシステム制御回路１０９でのプログラムの実行に応じて、文字、画像、音声等を用いて動作状態やメッセージ等を表示する液晶表示装置、及びスピーカー等から構成される表示部である。表示部１２１は、撮像装置１０１の操作部近辺の視認し易い位置に単数或いは複数個所設置され、例えばＬＣＤやＬＥＤ、発音素子等の組み合わせにより構成されている。撮像装置１０１の構成によっては、表示部１２１に表示する情報を合わせて画像表示部１１３に表示する場合もある。また、本実施形態においては、画像表示部１１３及び表示部１２１には、外部の撮像装置から受信した画像データを画像化して表示することもできる。
【００２５】
１２２は電気的に消去・記録可能な不揮発性メモリである。１２３は、システム制御回路１０９の各種の動作指示を入力するための操作部であり、スイッチ、ダイアル、タッチパネル、視線検知によるポインティング、または音声認識装置等の単数或いは複数の組み合わせで構成されている。
【００２６】
１２４はシャッタースイッチであり、撮像素子１０４から読み出した信号をＡ／Ｄ変換器１０５、メモリ制御回路１０８を介して第１のメモリ１１２に画像データを書き込む露光処理の動作開始を指示する。また、画像処理回路１１０やメモリ制御回路１０８での演算を用いた現像処理という一連の処理の動作開始も指示する。
【００２７】
１２５は通信手段を構成する無線通信制御部であり、１２６はアンテナ部である。無線通信制御部１２５はアンテナ部１２６から発信・受信される電波を利用して任意の無線通信伝送路で外部の装置との通信を制御する。なお、本実施形態では、ＵＷＢ（Ultra Wide Band）を利用するものとする。また、Wireless LAN、Bluetooth等の伝送路を用いてもよい。
【００２８】
１２７は距離測定手段を構成する距離測定部であり、撮像装置１０１と無線通信で接続している外部装置（例えば、撮像装置）との距離の測定を行う。前述したように本実施形態では無線通信伝送路としてＵＷＢを採用しており、このＵＷＢの技術には通信間の距離を測定できる特徴がある。したがって、この特徴を利用して接続先との距離の測定を行う。なお、距離測定部１２７については、ＧＰＳなどのように距離を測定できる機能を有していれば、他のどのような方法を用いてもよい。
【００２９】
次に、図２に示す本実施形態の概要図を参照しながら本実施形態における撮像装置１０１の動作について説明する。
２０１は撮像装置であり、２０２は撮像装置２０１と同じの無線通信伝送路を用いて撮像装置２０１と無線通信接続が可能な別の撮像装置である。この２つの撮像装置同士の保持者が、画像交換を目的として自身が保持している画像と相手が保持している画像とを比較再生して交換するために画像の選定を行う。
【００３０】
図２（ａ）では、撮像装置２０１と、通信相手である別の撮像装置２０２との距離が非常に近い状態を示している。このように距離が非常に近い状態で撮像装置２０１が画像再生モードで動作しているときは、撮像装置２０１の画像表示部１１３には第１のメモリ１１２に記憶された静止画像や動画像が表示されており、一般的な撮像装置の動作と同じである。
【００３１】
次に、図２（ｂ）では、無線接続を継続して確立できる範囲で撮像装置２０１と通信相手である別の撮像装置２０２との距離が離れている状態を示している。なお、図２（ｂ）に示す状態は、図２（ａ）に示す状態の距離と比較して大きく離れているものとする。具体的には、撮像装置２０１及び通信相手である別の撮像装置２０２の保持者同士が直接お互いの画像表示部を見せ合うことができないような距離である。一般的に直接見せ合うことができる範囲は２〜３ｍであるとして、図８（ｂ）に示す状態において撮像装置間の距離はそれ以上であるものとする。
【００３２】
撮像装置２０１は、距離測定部１２７において定期的に通信相手である別の撮像装置２０２との距離を測定している。測定結果が、保持者同士が撮像装置を直接見せ合うことが可能な近距離である場合は、表示画面２０３のように通常どおり第１のメモリ１１２に記憶されている画像が画像表示部１１３に表示される。
【００３３】
一方、ある一定の距離より離れたことを検知したとき、撮像装置２０１の画像表示部１１３には表示画面２０４のように二分割されて画像が表示される。表示画面２０４の右半分には、図２（ａ）に示す状態のときから表示されていた撮像装置２０１の第１のメモリ１１２に記憶された静止画像や動画像が表示される。また、表示画面２０４の左半分には通信相手である別の撮像装置２０２から無線通信によって受信された画像が表示される。
【００３４】
本実施形態においては、距離測定部１２７により、無線接続した相手がある一定の距離より離れたことを検知したことをきっかけに、画像表示部１１３に接続相手から受信した画像を表示させることが特徴である。
【００３５】
次に、本実施形態の撮像装置２０１が通信相手である別の撮像装置２０２と無線通信を行っている状態における再生処理シーケンスについて、図３−１に示すフローチャートを参照しながら具体的に説明する。なお、図３−１に示すフローチャートに従って行われる処理は、第２のメモリ１２０に記憶された所定のプログラムに従ってシステム制御回路１０９が制御する。
【００３６】
モード切替スイッチ等が操作されて撮像装置２０１が再生モードにされることによって、ステップＳ３０１から本実施形態の撮像装置における画像を再生する処理を開始する。
【００３７】
ステップＳ３０２において、操作部１２３に入力された操作信号に基づいてシステム制御回路１０９は、撮像装置２０１と別の撮像装置２０２との距離がどの程度離れたときに別の撮像装置２０２から受信された画像を画像表示部１１３に表示するかを設定する。
【００３８】
前述したように、直接それぞれの画像表示部を見せ合うことができるのは一般的に２〜３ｍであるとしたが、本実施形態では保持者が直接見せ合うことができないと判断する基準距離を設定することができる。この設定は、表示部１２１または画像表示部１１３に表示されるＭＥＮＵ画面に基づいて操作部１２３に操作信号が入力され、その操作信号に基づいてシステム制御回路１０９により設定を行う。なお、この設定は再生モード時ではなく他のモードで動作しているときに事前に設定しておいてもよい。
【００３９】
このステップＳ３０２における表示切替基準距離設定を行っていることを前提に、設定された撮像装置間の距離に応じて画像表示部１１３に表示する内容を切り替える処理を行う。もし、ステップＳ３０２にて表示切替基準距離設定が行われていない場合は、設定デフォルト値が"無限大"となっており、事実上、画像表示部１１３に表示する内容を切り替える処理が行われないことになる。
【００４０】
一方、距離に応じて画像表示部１１３に接続相手の画像を表示させる機能そのものを有効にするか、無効にするかを設定できるＭＥＮＵ画面を用意してもよい。そして、有効にする必要がない場合はそのＭＥＮＵ画面で機能を無効に設定させるようにしてもよい。
【００４１】
次に、ステップＳ３０３において、無線通信制御部１２５は、アンテナ部１２６を経由して通信相手である画像データを保持する外部の別の撮像装置２０２との無線接続済みかどうかをチェックする。このチェックの結果、まだ無線接続されていない場合はステップＳ３０４に進む。一方、ステップＳ３０３のチェックの結果、無線接続済みである場合はステップＳ３０５に進む。
【００４２】
ステップＳ３０５において、システム制御回路１０９の制御により距離測定部１２７は、接続済みの通信相手である別の撮像装置２０２との距離を測定し、ステップＳ３０２において設定した基準距離以上離れているかどうかをチェックする。このチェックの結果、基準距離以上離れている場合はステップＳ３０７へ進む。一方。ステップＳ３０５のチェックの結果、基準距離より短い場合はステップＳ３０４に進む。
【００４３】
ステップＳ３０５で別の撮像装置２０２との距離が基準距離以上であれば無条件でステップＳ３０７からステップＳ３１８にかけて画像表示部１１３の表示画面を分割して表示する処理をスタートする。ところが、使用状況によって使用者は分割して表示する処理をしたくない場合もある。
【００４４】
前述したように、もともとこの分割して表示する処理を無効に設定しておくことによって回避できるが、そのような無効化設定を行っていない状況でもやはり分割して表示する処理をしたくない状態になることもある。例えば、使用者が、撮像装置２０１が有するある画像について拡大して注意深く確認していたときに、別の撮像装置２０２との距離が基準距離以上離れたため、いきなり表示画面が分割（変更）されると使用者の作業に影響を及ぼす。
【００４５】
このようなことを回避するために、ステップＳ３０５のチェックの結果、別の撮像装置２０２との距離が基準距離以上である場合は、例えば、図４（ａ）に示す表示画面４０１を表示してもよい。図４（ａ）に示すように使用者に対して、別の撮像装置２０２との距離が基準距離以上になった旨を通知し、使用者が分割表示の実行許可したときのみステップＳ３０７に進んで以降の処理を行うようにしてもよい。そして、表示画面４０１のような通知をして使用者が分割表示の実行を許可しなかった場合は、ステップＳ３０７には進まずステップＳ３０４に進むようにしてもよい。
【００４６】
本実施形態では以下に説明するように、別の撮像装置２０２との距離が設定された値以上であることをトリガーにして表示内容を切り替えるものである。一方、ステップＳ３０４においては、通信相手が存在しないまたは無線接続した別の撮像装置２０２との距離が基準距離より短いため、システム制御回路１０９の制御により撮像装置２０１の保持画像のみを画像表示部１１３にフル画面で表示する。そして、ステップＳ３０６に進む。
【００４７】
次に、ステップＳ３０６において、モード切替スイッチ等が操作されて操作部１２３に入力された操作信号に基づいて、システム制御回路１０９は再生処理の終了指示あったかどうかをチェックする。このチェックの結果、再生処理終了指示があった場合はステップＳ３２１に進んでシステム制御回路１０９により再生処理を終了する。一方、ステップＳ３０６のチェックの結果、再生処理終了指示が無かった場合はステップＳ３０３に戻る。
【００４８】
一方、ステップＳ３０７において、システム制御回路１０９は無線通信制御部１２５を介して、無線接続している別の撮像装置２０２に対して、別の撮像装置２０２が保持している画像データに対する転送要求を行う。この処理は、確立している接続で採用しているプロトコルにおける画像転送要求を行うコマンドを送信することによって行われるが、画像データの転送要求が行うことができるのであれば他の方法でもよい。
【００４９】
次に、ステップＳ３０８において、ステップＳ３０７における画像データ転送要求に対して、システム制御回路１０９は通信相手の別の撮像装置２０２内に閲覧可能な画像データを保持しているかどうかをチェックする。具体的には、ステップＳ３０７における画像データ転送要求に対して、通信相手である別の撮像装置２０２が閲覧可能な画像データを保持していない場合の動作を行ったかどうかをチェックする。
【００５０】
例えば、ステップＳ３０７における転送要求コマンドを受けて、閲覧可能な画像データを保持していないという旨のレスポンスを返したかどうかチェックする。このチェックの結果、別の撮像装置２０２に閲覧可能な画像データを保持していない場合は、ステップＳ３０９へ進む。一方、ステップＳ３０８のチェックの結果、別の撮像装置２０２に閲覧可能な画像データを保持している場合は、ステップＳ３１３へ進む。
【００５１】
ステップＳ３０９においては、システム制御回路１０９は通信相手の別の撮像装置２０２に対して、別の撮像装置２０２において撮像処理などにより閲覧可能な画像データが生成された場合に撮像装置２０１に画像データ生成イベントを通知するように依頼する。次に、ステップＳ３１０においては、通信相手から画像データを取得できない、システム制御回路１０９の制御により撮像装置２０１が保持している画像のみを画像表示部１１３にフル画面で表示する。
【００５２】
次に、ステップＳ３１１においては、システム制御回路１０９は無線通信制御部１２５を介して、通信相手の別の撮像装置２０２からステップＳ３０９において依頼した画像データ生成イベントを受信したたかどうかをチェックする。このチェックの結果、画像データ生成イベントを受信した場合はステップＳ３１２に進む。一方、ステップＳ３１１のチェックの結果、画像データ生成イベントを受信していない場合はステップＳ３１０に戻る。
【００５３】
ステップＳ３１２においては、ステップＳ３０７と同様にシステム制御回路１０９は無線通信制御部１２５を介して、通信相手の別の撮像装置２０２に対して保持している画像データに対する転送要求を行い、ステップＳ３１３へ進む。
【００５４】
ステップＳ３１３においては、システム制御回路１０９は無線通信制御部１２５を介して、通信相手である別の撮像装置２０２から１画像分の画像データを受信する。次に、ステップＳ３１４において、システム制御回路１０９の制御により、撮像装置２０１の画像表示部１１３を図２に示すように表示画面２０４が二分割された状態にする。
【００５５】
次に、ステップＳ３１５において、システム制御回路１０９の制御により、ステップＳ３１４で二分割された画像表示部１１３の左半画面に、ステップＳ３１３において受信した画像データを画像化して表示する。次に、ステップＳ３１６においては、システム制御回路１０９の制御により、ステップＳ３１４で二分割された画像表示部１１３の右半画面に、撮像装置２０１が保持する画像データを画像化して表示する。
【００５６】
本実施形態においては、通信相手が保持する画像を左半画面に表示し、自身の装置が保持する画像を右半画面に表示させるようにしたが、この配置に特に理由は無く左右を逆にして画像を表示させてもよい。
【００５７】
また、本実施形態では画像表示部１１３に表示される画面の二分割の方法を横分割にしたが、縦分割にして上半画面に通信相手が保持する画像を表示させ、下半画面に自身の装置が保持する画像を表示させても、またその逆であってもよい。
【００５８】
また、本実施形態では画像表示部１１３に表示される画面を完全に二分割したが、画像情報等を表示する部分を独立して設け、それ以外の部分について二分割するような方法を用いてもよい。
【００５９】
次に、ステップＳ３１７において、操作部１２３に入力された操作信号に基づいてシステム制御回路１０９の制御により、再生操作を行う対象を設定する。図５及び図６は、本実施形態において、再生操作対象を選択している際の撮像装置２０１の外観構成を示す図である。本実施形態においては、撮像装置２０１は図５及び図６に示すように再生操作対象を設定するためにスライド式の再生操作対象設定スイッチ５０１を備えている。
【００６０】
撮像装置２０１が保持する画像（右半画面）に対し再生操作を行う場合、図５に示すように使用者により再生操作対象設定スイッチ５０１が右側にスライドされることにより操作信号が入力され、システム制御回路１０９の制御により再生操作を行う対象を設定する。一方、通信相手である別の撮像装置２０２が保持する画像（左半画面）に対して再生操作を行う場合、図６に示すように使用者により再生操作対象設定スイッチ５０１が左側にスライドされることにより操作信号が入力され、システム制御回路１０９の制御により再生操作を行う対象を設定する。
【００６１】
次に、ステップＳ３１８においては、システム制御回路１０９の制御により、ステップＳ３１５で画像表示部１１３の左半画面に表示させた画像と、ステップＳ３１６で画像表示部１１３の右半画面に表示させた画像とを比較再生する処理を行う。
【００６２】
比較再生処理について、図３−２に示すフローチャートを参照しながら詳細に説明する。
まず、ステップＳ３１８１において比較再生処理を開始する。次に、ステップＳ３１８２において、システム制御回路１０９は、図５及び図６に示す十字操作ボタン５０２等が押下されて操作信号が操作部１２３に入力され、その操作信号に基づいて画像送り、画像戻りなど再生操作イベントが発生したかどうかをチェックする。
【００６３】
このチェックの結果、再生操作イベントが発生した場合は、ステップＳ３１８３へ進む。一方、ステップＳ３１８２のチェックの結果、再生操作イベントが発生していない場合はステップＳ３１８９に進み、比較再生処理を終了する。
【００６４】
次に、ステップＳ３１８３において、システム制御回路１０９は、図３−１のステップＳ３１７で設定した再生操作対象が通信相手である別の撮像装置２０２が保持する画像であるかどうかをチェックする。このチェックの結果、再生対象が通信相手である別の撮像装置２０２が保持する画像である場合はステップＳ３１８６に進む。一方、ステップＳ３１８３のチェックの結果、再生対象が撮像装置２０１が保持する画像である場合はステップＳ３１８４に進む。
【００６５】
次に、ステップＳ３１８４において、システム制御回路１０９は、操作部１２３に入力された操作信号に基づいて、画像表示部１１３の右半画面に表示された撮像装置２０１が保持する画像に対してステップＳ３１８２で発生した再生操作イベント処理を行う。次に、ステップＳ３１８５において、システム制御回路１０９の制御により、ステップＳ３１８４の再生操作イベント処理に基づいて画像表示部１１３の右半画面に表示される画像の更新を行う。そして、ステップＳ３１８９に進み、比較再生処理を終了する。
【００６６】
一方、ステップＳ３１８６においては、ステップＳ３１８２で発生した再生操作イベントの処理対象が通信相手の別の撮像装置２０２が保持する画像となるので、ステップＳ３１８２で発生した再生操作イベントを別の撮像装置２０２側で処理してもらう。このために、システム制御回路１０９は、その再生操作イベントに対応したコマンドを発行し、別の撮像装置２０２に送信する。
【００６７】
次に、ステップＳ３１８７において、ステップＳ３１８６で送信した再生操作イベントに対応したコマンドを別の撮像装置２０２が受信する。そして、別の撮像装置２０２は保持する画像データから指定された再生操作イベントを処理して、次に表示すべき画像データをメモリから読み出して送信する。これにより、無線通信制御部１２５はステップＳ３１８２で発生した別の撮像装置２０２に対する再生操作イベントによって、画像表示部１１３の左半画面に次に表示されるべき画像データを受信する。
【００６８】
次に、ステップＳ３１８８において、システム制御回路１０９の制御により、ステップＳ３１８７で別の撮像装置２０２から受信した画像データを画像化して画像表示部１１３の左半画面に表示することによって画像を更新する。そして、ステップＳ３１８９に進み、比較再生処理を終了する。
【００６９】
再び図３−１の説明に戻り、ステップＳ３１８の比較再生処理が終了した後のシーケンスについて説明する。
次に、ステップＳ３１９において、システム制御回路１０９は、操作部１２３に入力された操作信号に基づいて、モード切替スイッチ等の移動などにより再生処理の終了指示があったかどうかをチェックする。このチェックの結果、再生処理終了指示があった場合はステップＳ３２１に進んでシステム制御回路１０９の制御により再生処理を終了する。一方、ステップＳ３１９のチェックの結果、再生処理終了指示が無かった場合はステップＳ３２０に進む。
【００７０】
ステップＳ３２０において、ステップＳ３０５と同様に、システム制御回路１０９の制御により距離測定部１２７は、通信相手である別の撮像装置２０２との距離を測定し、ステップＳ３０２において設定した基準距離以上離れているかどうかをチェックする。このチェックの結果、基準距離以上離れている場合はステップＳ３１８へ戻り、再び比較再生処理を行う。一方、ステップＳ３２０のチェックの結果、基準距離より短い場合はステップＳ３０４に進む。
【００７１】
なお、ステップＳ３２０のチェックの結果、別の撮像装置２０２との距離が基準距離以上でなければ、無条件でステップＳ３０４に戻り、今度は撮像装置２０１が保持する画像のみ表示する処理を行う。ところが、使用状況によっては、使用者が分割して表示する処理を継続したい場合もある。例えば、画像表示を分割して撮像装置２０１と別の撮像装置２０２とが所有する画像の比較を行っていた時に、距離が基準距離より近くなったため、いきなり分割状態から単一のもとの状態にされると使用者の作業に影響を及ぼす。
【００７２】
このようなことを回避するために、ステップＳ３２０のチェックの結果、別の撮像装置２０２との距離が基準距離以上ではない場合に、図４（ｂ）に示す表示画面４０２を表示してもよい。図４（ｂ）に示すように使用者に対し別の撮像装置２０２との距離が基準距離以上ではなくなった旨を通知し、使用者が分割表示の終了を許可したときのみステップＳ３０４に進んで以降の処理を行うようにしてもよい。そして、表示画面４０２のような通知をして、使用者により分割表示の実行を継続するように指示された場合は、ステップＳ３０４には進まずステップＳ３１８に進んで、分割表示した状態での比較再生処理を継続するようにしてもよい。
【００７３】
以上により本実施形態においては、外部装置との間の距離を測定し、外部装置との距離の測定結果に応じて表示部に表示する内容を切り替えるようにした。したがって、無線接続した機器間の距離が設定された距離より離れると自身の機器の表示部に接続相手機器の画像を表示することが可能となる。これにより、画像交換を行うためにお互いの機器が保持する画像を確認する際に、お互いの機器が直接見せ合うことができなくなる距離に位置したときに相手の画像が自身の機器に表示されるので、相手機器が保持している画像の確認を円滑に行うことができる。
【００７４】
また、設定された距離より近い距離に位置したときには直接見せ合うことができるため、自身の機器で接続相手機器の画像の表示を行わないようして、無線通信を発生させない。これにより、処理速度や消費電力に影響を及ぼさないようにすることができる。また、分割表示は画像１つ当たりの表示領域が狭くなってしまう。したがって、直接画像を見せ合える距離にいる際には分割表示ではなく、１画面に１画像を表示することでユーザの視認性を向上させることが可能となる。
【００７５】
（第２の実施形態）
本実施形態の撮像装置は第１の実施形態と全く同じ構成である。本実施形態では、撮像装置２０１が保持する画像とその通信相手である別の撮像装置２０２が保持する画像との比較再生を行う場合に、別の撮像装置２０２を制御しリモートコントロールして再生操作を行う。そして、その結果として別の撮像装置２０２に表示された画像を撮像装置２０１に送信する。そして、受信した画像を画像表示部１１３に分割された状態で表示させることによって、お互いがどのような画像を有しているかの確認を行うことができる。以下、本実施形態について説明する。
【００７６】
前述したように、本実施形態の撮像装置の機能構成は、図１に示す第１の実施形態の撮像装置１０１と全く同様である。また、本実施形態における再生処理中の画像表示部１１３の表示形態も、図２に示す第１の実施形態と同様である。さらに、本実施形態における再生処理シーケンスも、比較再生処理を除いて、図３−１に示す第１の実施形態と全く同様である。
【００７７】
本実施形態が第１の実施形態と異なる点は、図３−１のステップＳ３１８の比較再生処理である。図７は、本実施形態における比較再生処理シーケンスを示すフローチャートである。この図７に示すフローチャートを参照しながら本実施形態における比較再生処理シーケンスを詳しく説明する。なお、本フローチャートに従って行われる処理は、第２のメモリ１２０に記憶された所定のプログラムに従ってシステム制御回路１０９が制御するものである。
【００７８】
まず、ステップＳ７０１で比較再生処理を開始する。次に、ステップＳ７０２において、システム制御回路１０９は、十字操作ボタン５０２等が押下されて操作信号が操作部１２３に入力され、その操作信号に基づいて画像送り、画像戻りなど再生操作イベントが発生したかどうかをチェックする。このチェックの結果、再生操作イベントが発生した場合は、ステップＳ７０３へ進む。一方、ステップＳ７０２のチェックの結果、再生操作イベントが発生していない場合は、ステップＳ７１２に進んで比較再生処理を終了する。
【００７９】
次に、ステップＳ７０３において、システム制御回路１０９は、ステップＳ３１７で設定した再生操作対象が通信相手である別の撮像装置２０２が保持する画像であるかどうかをチェックする。このチェックの結果、再生対象が通信相手である別の撮像装置２０２が保持する画像である場合はステップＳ７０６に進む。一方、ステップＳ７０３のチェックの結果、再生対象が撮像装置２０１が保持する画像である場合はステップＳ７０４に進む。
【００８０】
次に、ステップＳ７０４において、システム制御回路１０９は、操作部１２３に入力された操作信号に基づいて、画像表示部１１３の右半画面に表示された撮像装置２０１が保持する画像に対してステップＳ７０２で発生した再生操作イベント処理を行う。次に、ステップＳ７０５において、システム制御回路１０９の制御により、ステップＳ７０４の再生操作イベント処理に基づいて画像表示部１１３の右半画面に表示される画像の更新を行う。そして、ステップＳ７１２に進み、比較再生処理を終了する。
【００８１】
一方、ステップＳ７０６においては、システム制御回路１０９は、通信相手である別の撮像装置２０２に対してリモート操作制御を開始する通知を行う。別の撮像装置２０２はこの通知を受けると再生操作に関して自身による制御が全くできないようになり、撮像装置２０１は、ステップＳ７１１のリモート操作制御が終了する通知を送信するまで、リモート操作イベントによってのみ再生操作を行うことができる。
【００８２】
次に、ステップＳ７０７においては、システム制御回路１０９は、ステップＳ７０２で発生した再生操作イベントを別の撮像装置２０２側でリモート操作するためにそのリモート再生操作イベントに対応したコマンドを発行する。これは、ステップＳ７０２で発生した再生操作イベントの処理対象が通信相手の別の撮像装置２０２が保持する画像となるからである。
【００８３】
次に、ステップＳ７０８において、システム制御回路１０９により無線通信制御部１２５を介して、ステップＳ７０７で発行したコマンドを別の撮像装置２０２に送信する。これにより、リモート再生操作イベントに対応したコマンドが別の撮像装置２０２に受信され、別の撮像装置２０２において指定された再生操作イベントが処理される。そして、別の撮像装置２０２が保持する画像から次に表示すべき画像データがメモリから読み出され、別の撮像装置２０２の画像表示部に次に表示すべき画像が表示される。
【００８４】
次に、ステップＳ７０９において、ステップＳ７０８の処理により別の撮像装置２０２の画像表示部に表示された画像が撮像装置２０１に対して送信される。そして、システム制御回路１０９により、無線通信制御部１２５を介してステップＳ７０２で発生した別の撮像装置２０２に対する再生操作イベントによって画像表示部１１３の左半画面に次に表示されるべき画像データを受信する。
【００８５】
次に、ステップＳ７１０において、システム制御回路１０９により、ステップＳ７０９で別の撮像装置２０２から受信した画像データを画像化して画像表示部１１３の左半画面に表示することによって画像を更新する。そして、ステップＳ７１１において、システム制御回路１０９により、無線通信制御部１２５を介して通信相手である別の撮像装置２０２に対してリモート操作制御を終了する通知を行う。以上の処理を持ってステップＳ７１２で比較再生処理を終了する。
【００８６】
以上、本実施形態においては、撮像装置２０１が保持する画像と通信相手である別の撮像装置２０２が保持する画像との比較再生を行う場合に、別の撮像装置２０２を制御してリモートコントロールして再生操作を行う。そして、別の撮像装置２０２の画像表示部に表示されている画像を撮像装置２０１の画像表示部１１３の表示画面４０２に表示させることによって、お互いがどのような画像を有しているかの確認を行うことができる。
【００８７】
本実施形態においては、お互いがどのような画像を有しているか確認したい場合に、互いに直接見せ合うことができないような距離に位置したときにだけこのリモートコントロールを行うことができる。つまり、撮像装置２０１とその通信相手である別の撮像装置２０２との距離が基準距離より離れている場合のみリモートコントロールの機能が有効になり、反対に基準距離より近い位置の場合はこのリモートコントロールの機能は無効となる。
【００８８】
この方法は、例えば、撮像装置の保持者同士が離れた位置で声を掛け合いながらお互いの撮像装置が有する画像を確認していた場合に便利である。一方の保持者が相手の撮像装置側にある特定の画像についてその内容を保持者に質問するときに、その特定の画像を保持している通信相手の撮像装置を直接リモートコントロールして画像データを受信し、その特定の画像を表示させることができる。これにより、質問を受けるその画像の保持者は、通信相手が自身の撮像装置をリモートコントロールするので、自身は何の操作も行わずにその画像を確認させることができる。
【００８９】
また、本実施形態では、再生モード時について説明したが、別の撮像装置２０２が撮像モードであってもよい。この場合、別の撮像装置２０２の撮像操作をリモートコントロールして撮像のリモート実行を行うことができ、そのときに撮像した画像を、撮像装置２０１が受信することも実現できる。
【００９０】
（第３の実施形態）
本実施形態の撮像装置は第１の実施形態と全く同じ機能構成である。本実施形態においては、撮像装置２０１の使用者とその通信相手である別の撮像装置２０２の使用者とが自身の保持する画像に対してのみ操作を行って、お互いがどのような画像を保持しているかの確認を行うことができる。以下、本実施形態について説明する。
【００９１】
前述したように、本実施形態の撮像装置の機能構成は、図１に示す第１の実施形態の撮像装置１０１と全く同様である。また、本実施形態における再生処理中の画像表示部１１３の表示形態も、図２に示す第１の実施形態と同様である。さらに、本実施形態における再生処理シーケンスについても、比較再生処理を除いて、図３−１に示す第１の実施形態と一部を除いて全く同様である。
【００９２】
まず、本実施形態の再生処理シーケンスにおいて、第１の実施形態と異なる点について説明する。
１点目は、本実施形態においては、図３−１のステップＳ３１３において通信相手である別の撮像装置２０２から１画像分の画像データを受信するとき、その時点で別の撮像装置２０２の画像表示部に表示されている画像の画像データを受信するという点である。
【００９３】
２点目は、図３−１のステップＳ３１７の再生操作対象設定は行わないという点である。前述したように、本実施形態では、自身が保持する画像のみの操作を行い、お互いがどのような画像を保持しているかの確認を行う。以上の２点が本実施形態の再生処理シーケンスと第１の実施形態の再生処理シーケンスとの相違点である。
【００９４】
また、本実施形態においては、図３−１のステップＳ３１８の比較再生処理も第１の実施形態と異なっている。図８は、本実施形態における比較再生処理シーケンスを示すフローチャートである。この図８に示すフローチャートを参照しながら本実施形態における比較再生処理シーケンスを詳しく説明する。なお、本フローチャートに従って行われる処理は、第２のメモリ１２０に記憶された所定のプログラムに従ってシステム制御回路１０９が制御するものである。
【００９５】
まず、ステップＳ８０１において、比較再生処理を開始する。次に、ステップＳ８０２において、システム制御回路１０９は、十字操作ボタン５０２等が押下されて操作信号が操作部１２３に入力され、その操作信号に基づいて画像送り、画像戻りなど再生操作イベントが発生したかどうかをチェックする。このチェックの結果、再生操作イベントが発生した場合は、ステップＳ８０３に進む。一方、ステップＳ８０２のチェックの結果、再生操作イベントが発生していない場合は、ステップＳ８０５に進む。
【００９６】
次に、ステップＳ８０３において、システム制御回路１０９は、操作部１２３に入力された操作信号に基づいて、画像表示部１１３の右半画面に表示された撮像装置２０１が保持する画像に対してステップＳ８０２で発生した再生操作イベント処理を行う。次に、ステップＳ８０４において、システム制御回路１０９の制御により、ステップＳ８０３の再生操作イベント処理に基づいて、画像表示部１１３の右半画面に表示される画像の更新を行う。
【００９７】
次に、ステップＳ８０５において、システム制御回路１０９は、無線通信制御部１２５を介して通信相手である別の撮像装置２０２において十字操作ボタン等が押下されて画像送り、画像戻りなど再生操作イベントが発生したかどうかをチェックする。具体的な方法としては、別の撮像装置２０２において再生操作イベントが発生した場合に撮像装置２０１にイベント通知を行うようにする。すなわち、ステップＳ８０５ではその再生操作イベント通知を受信したかどうかのチェックを行う。
【００９８】
このチェックの結果、別の撮像装置２０２で再生操作イベントが発生した場合はステップＳ８０６に進む。一方、ステップＳ８０５のチェックの結果、別の撮像装置２０２で再生操作イベントが発生していない場合は、ステップＳ８０９に進み、比較再生処理を終了する。
【００９９】
次に、ステップＳ８０６において、システム制御回路１０９は、別の撮像装置２０２で再生操作イベントが発生し別の撮像装置２０２に新たに表示された画像データを撮像装置２０１に送信するように要求する。そして、ステップＳ８０７において、システム制御回路１０９により、無線通信制御部１２５を介してステップＳ８０６の送信要求を受けて別の撮像装置２０２が撮像装置２０１に対して送信した画像データを受信する。
【０１００】
次に、ステップＳ８０８において、ステップＳ８０７で別の撮像装置２０２から受信した画像データを画像表示部１１３の左半画面に表示することによって画像を更新する。そして、ステップＳ８０９において、比較再生処理を終了する。
【０１０１】
以上の比較再生処理のシーケンスに従えば、本実施形態における再生操作では、撮像装置２０１と通信相手である別の撮像装置２０２とが基準距離より離れている状態において、それぞれの保持者が、自身が保持する画像について再生操作を行う。そして、撮像装置２０１の分割された画像表示部１１３のうち左半画面には、別の撮像装置２０２で表示されている画像をほとんどリアルタイムに表示させることができる。
【０１０２】
この方法は、例えば、各撮像装置の保持者が互いに基準距離より離れた距離に位置して比較再生を行う場合に便利である。双方の撮像装置の画像表示部に表示される画像は分割画面の右左の位置こそ逆になるが、全く同じ２つの画像が画像表示部に分割表示されることになり、相手が保持する画像の確認を同時に行うことができる。これにより、直接見せ合うことができない距離であったとしても声を掛け合って談話などしながらお互いの撮像装置が保持する画像についての確認を円滑に行うことができる。
【０１０３】
本実施形態においては、再生操作に限定して説明を行った。ところが、本実施形態の方法を用いれば、ステップＳ８０７で受信する画像データは撮影画像のデータのみならず、撮影画像の一覧を示した画像データや、ＭＥＮＵ画面の画像データや、設定画面の画像データであってもよい。すなわち、通信相手の別の撮像装置２０２でＭＥＮＵボタンが押されＭＵＮＵ画面が表示されたら、そのＭＥＮＵ画面の画像データをそのまま別の撮像装置２０２から受信する。そして、撮像装置２０１の画像表示部１１３の分割された表示画面２０４に受信した画像データを画像化して表示するようにしてもよい。
【０１０４】
また、再生モード時だけではなく、別の撮像装置２０２が撮像モードで動作し、別の撮像装置２０２の画像表示部にライブビュー画像が連続的に表示されている場合も、同様の処理を行うことができる。その撮影ライブビュー表示用のフレーム画像を連続して別の撮像装置２０２から受信して、そのフレーム画像を撮像装置２０１の画像表示部１１３の分割された表示画面２０４に表示するようにしてもよい。
【０１０５】
以上のように、通信相手との距離が離れて画像表示部１１３に分割された表示画面２０４が表示された後は、別の撮像装置２０２のモード状態によらず、別の撮像装置２０２の画像表示部上に表示されている画像を画像表示部１１３に表示させるようにした。これにより、ほぼリアルタイムの画像を画像表示部１１３に表示させることができる。
【０１０６】
（第４の実施形態）
本実施形態では、撮像装置が接続相手間の電波状況を測定する手段を備えており、また、撮像装置の画像データを記憶するために利用する記憶媒体の容量が十分に確保できる場合に特化して説明する。本実施形態における撮像装置の機能構成図を、図９に示す。
【０１０７】
図９の９０１〜９２６は、図１の１０１〜１２６と完全に対応しており、それぞれまったく同一の機能を有する。第１〜第３の実施形態における撮像装置１０１の構成と異なる点として、本実施形態では第１〜第３の実施形態における距離測定部１２７の代わりに電波状況測定部９２７を備えている。
【０１０８】
電波状況測定部９２７は、アンテナ部９２６で受信する電波信号と雑音との比率を示すノイズ比（SNR：Signal To Noise Ratio）を用いて現在の電波状況の測定を行う。ノイズ比はdBで表示され、数値が大きいほど電波状況が良好で、数値が小さいほど電波状況が悪いことを示す。
【０１０９】
次に、図１０に示す概要図を参照しながら本実施形態における撮像装置９０１の動作について説明する。
１００１は本実施形態に係る撮像装置であり、１００２は撮像装置１００１と同じの無線通信伝送路を用いて撮像装置１００１と無線通信接続が可能な別の撮像装置である。この２つの撮像装置の保持者同士が、画像交換を目的として自身が保持している画像と相手が保持している画像とを比較再生して交換するための画像の選定を行う。
【０１１０】
図１０（ａ）では、撮像装置１００１と通信相手である別の撮像装置１００２との間に確立している無線通信の電波状況が良好である状態を示している。前述したように、本実施形態の撮像装置１００１は、通信電波測定手段を構成する電波状況測定部９２７を備えており現在の電波状況の測定を行う。
【０１１１】
この電波状況が良好な状態で撮像装置１００１及び通信相手である別の撮像装置１００２は、お互いが保持する画像データのすべてを相互に送受信して、お互いの画像を保持するためのメモリに保存する。また、撮像装置１００１が画像再生モードで動作しているときは、撮像装置１００１の画像表示部９１３には、第１のメモリ９１２に記憶された静止画像データや動画像データに基づく画像が表示されており、一般的な撮像装置の動作と同じである。
【０１１２】
次に、図１０（ｂ）では撮像装置１００１と通信相手である別の撮像装置１００２との間に確立している無線通信の電波状況が悪化している状態を示している。ただし、悪化しているとはいえ無線通信が継続できる範囲であることを前提とする。
【０１１３】
撮像装置１００１は、通信相手である別の撮像装置１００２との間に確立している無線通信の通信電波状態を電波状況測定部９２７で定期的に測定している。そして、ある一定の基準より通信電波状態が悪化したことを検知すると、別の撮像装置１００２で追加撮影された画像データを受信したり、削除された画像データがあればその削除を行ってもらうように指示を出したりする。この処理を行った時点で、通信相手の別の撮像装置１００２の保持する画像データがその時点の状態と一致した形で撮像装置１００１に保持されていることになる。
【０１１４】
また、撮像装置１００１の画像表示部９１３には表示画面１００４のように２分割されて画像が表示される。表示画面１００４の右半分には、図１０（ａ）に示す状態のときから表示していた撮像装置１００１の第１のメモリ９１２に記憶された静止画像や動画像が表示される。また、表示画面１００４の左半分には通信相手である別の撮像装置１００２から無線通信によって事前に受信し、第１のメモリ９１２に記憶された画像が表示される。
【０１１５】
本実施形態の特徴は２つあり、１つ目は電波状況測定部９２７を用いて、無線接続した機器間の通信電波状態が悪化したことを検知したことにより、接続相手から受信した画像を画像表示部９１３に表示させる点である。これによって、距離的には近くにいても遮蔽物などによって画像表示部９１３に表示されている画像を直接見せ合うことができないようなときに、お互いが保持する画像の確認を円滑に行うことができる。
【０１１６】
また、もう１つの特徴は、通信電波状態が良好なときに無線接続した機器間であらかじめお互いが保持するすべての画像データの交換を行っておく。そして、通信電波状態が悪化したときはあらかじめ交換を行ったときから差分の取得、削除を一度だけ行う。そして、その後は無線通信による画像データ転送を行うことなく、自身の画像表示部に接続相手が保持する画像を表示してどのような画像を通信相手が持っているかを確認することができるという点である。これによって、通信電波状態が悪化したときには画像データの送受信を行う必要が無いので、通信電波状態が悪化している状態で転送処理に時間がかかってしまい使用者にストレスを与えてしまう、また無駄に電力を消費してしまうという問題を解決する。
【０１１７】
図１１は、図１０に示した本実施形態における撮像装置１００１が通信相手である別の撮像装置１００２と無線通信を行っている状態における再生操作準備処理シーケンスを示すフローチャートである。また、図１２−１は、再生処理シーケンスを示すフローチャートである。この図１１及び図１２−１を参照しながら具体的な処理手順を説明する。なお、本フローチャートに従って行われる処理は、第２のメモリ９２０に記憶された所定のプログラムに従ってシステム制御回路９０９が制御するものである。
【０１１８】
本実施形態における再生処理を行う場合、再生処理を行うための準備処理が必要である。まずは図１１のフローチャートを参照しながらその再生操作準備処理のシーケンスについて説明する。
撮像装置１００１の電源が投入されると、投入時の撮像装置のモードにかかわらずステップＳ１１０１に進み、再生操作準備処理を開始する。
【０１１９】
次に、ステップＳ１１０２において、無線接続した別の撮像装置１００２との間の無線通信電波状態を示すノイズ比がどの程度になったときに画像表示部９１３に無線接続した別の撮像装置１００２の画像を表示するかその基準ノイズ比を設定する。この設定は、表示部９２１または画像表示部９１３に表示されるＭＥＮＵ画面から設定を行う。通信電波状態が悪化したと判断する基準を使用者により設定することができる。
【０１２０】
このステップＳ１１０２の表示切替基準ノイズ比設定を行っていることを前提に、撮像装置間の通信電波状態に応じて画像表示部９１３に表示する内容を切り替える処理を行う。一方、ステップＳ１１０２にて表示切替基準ノイズ比設定をしなかった場合は、撮像装置１００１で無線接続を行うにあたって通信速度に影響が出ると推測されるノイズ比がデフォルト値となるようにし、そのデフォルト値を表示切替基準ノイズ比として採用する。そして、そのままステップＳ１１０３へ進む。
【０１２１】
また、通信電波状態に応じて画像表示部９１３に接続相手の撮像装置１００２が保持する画像を表示させる機能そのものを有効にするか無効にするかを設定できるＭＥＮＵ画面を用意してもよい。そして、有効にする必要がない場合はそのＭＥＮＵ画面で撮像装置１００２が保持する画像を表示させる機能を無効に設定するようにしてもよい。
【０１２２】
次に、ステップＳ１１０３において、システム制御回路９０９は、撮像装置１００１の不図示のモード切替スイッチが操作されたことなどによって再生処理開始指示があるかないかをチェックする。このチェックの結果、再生処理開始指示があった場合は、ステップＳ１１０９に進み、再生操作準備処理を終了する。一方、ステップＳ１１０３のチェックの結果、再生処理開始指示が無かった場合は、ステップＳ１１０４に進む。
【０１２３】
次に、ステップＳ１１０４において、システム制御回路９０９は、画像データを保持する通信相手である別の撮像装置１００２と無線接続済みかどうかをチェックする。このチェックの結果、まだ無線接続されていない場合はステップＳ１１０３に戻る。一方、ステップＳ１１０４のチェックの結果、無線接続済みである場合はステップＳ１１０５に進む。
【０１２４】
次に、ステップＳ１１０５において、システム制御回路９０９の制御により、電波状況測定部９２７は通信相手である別の撮像装置１００２との間のノイズ比を測定する。そして、その測定から得られたノイズ比がステップＳ１１０２で設定した基準ノイズ比より良好かどうか、つまり基準ノイズ比より大きいかどうかを判断する。
【０１２５】
この判断の結果、測定したノイズ比が基準ノイズ比より小さい場合、つまり通信電波状態が悪化している場合は、ステップＳ１１０３に戻る。一方、ステップＳ１１０５の判断の結果、測定したノイズ比が基準ノイズ比より大きい場合、つまり通信電波状態が良好な場合は、ステップＳ１１０６へ進む。
【０１２６】
なお、再生操作準備処理期間中に通信相手である別の撮像装置１００２との間の通信電波状態が悪く、常に基準ノイズ比より小さい場合はステップＳ１１０３〜ステップＳ１１０５を繰り返す。そして、次のステップＳ１１０６以降で説明する具体的な再生操作準備処理を行うことができない。
【０１２７】
次に、ステップＳ１１０６において、システム制御回路９０９により、無線通信制御部９２５を介して撮像装置１００１が保持する全ての画像データを別の撮像装置１００２に送信し、ステップＳ１１０７へ進む。
【０１２８】
次に、ステップＳ１１０７において、システム制御回路９０９により、無線通信制御部９２５を介して別の撮像装置１００２が保持する全ての画像データを転送するように別の撮像装置１００２に対して要求する。そして、別の撮像装置１００２が保持する全ての画像データを別の撮像装置１００２から受信し、画像保存用の第１のメモリ９１２に記憶する。このとき、第１のメモリ９１２は撮像装置１００１が保持する画像データ用の領域と、ステップＳ１１０７で取得した別の撮像装置１００２が保持する画像データ用の領域とに分割して、それぞれの領域に集めて記憶する。
【０１２９】
次に、ステップＳ１１０８において、システム制御回路９０９は、ステップＳ１１０３と同様に再生処理開始指示があるかないかをチェックする。このチェックの結果、再生処理開始指示があった場合は、ステップＳ１１０９に進んで再生操作準備処理を終了する。一方、再生処理開始指示が無かった場合は、再生処理開始指示があるまで待機する。以上説明したシーケンスにより、本実施形態で再生処理を行うための準備処理を行う。
【０１３０】
次に、本実施形態における再生処理シーケンスについて図１２−１のフローチャートを参照しながら具体的に説明する。なお、本フローチャートに従って行われる処理は、第２のメモリ９２０に記憶された所定のプログラムに従ってシステム制御回路９０９が制御するものである。
【０１３１】
不図示のモード切替スイッチ等の操作によって撮像装置１００１が再生モードになることによって、ステップＳ１２０１から本実施形態の撮像装置１００１において画像を再生する処理を開始し、ステップＳ１２０２へ進む。
【０１３２】
ステップＳ１２０２において、システム制御回路９０９は、画像データを保持する通信相手である別の撮像装置１００２と無線接続済みかどうかをチェックする。このチェックの結果、まだ無線接続されていない場合は、ステップＳ１２０３に進む。一方、ステップＳ１２０２のチェックの結果、無線接続済みである場合は、ステップＳ１２０４に進む。
【０１３３】
次に、ステップＳ１２０４において、システム制御回路９０９の制御により電波状況測定部９２７は、図１１のステップＳ１１０５と同様に、通信相手である別の撮像装置１００２との間のノイズ比を測定する。そして、その測定から得られたノイズ比が再生操作準備処理のステップＳ１１０２において設定した基準ノイズ比より良好かどうか、つまり測定から得られたノイズ比が基準ノイズ比以上であるかどうかを判断する。
【０１３４】
この判断の結果、測定したノイズ比が基準ノイズ比以上の場合、つまり通信電波状態が良好な場合は、ステップＳ１２０３に進む。一方、ステップＳ１２０４の判断の結果、測定したノイズ比が基準ノイズ比より小さい場合、つまり通信電波状態が悪化している場合は、ステップＳ１２０６に進む。
【０１３５】
ステップＳ１２０４で通信電波状態が悪化している場合は、ステップＳ１２０６からステップＳ１２３０にかけて画像表示部９１３の表示画面を分割して表示する処理をスタートする。ところが、使用状況によって使用者は分割して表示する処理をしたくない場合もある。
【０１３６】
前述したように、もともとこの分割して表示する処理を無効に設定しておくことによって回避できるが、そのような無効化設定を行っていない状況でもやはり分割して表示する処理をしたくない状態になることもある。例えば、使用者が、撮像装置１００１が保持するある画像について拡大して注意深く確認していたときに、通信電波状態が悪化したため、いきなり表示画面が分割されると使用者の作業に影響を及ぼす。
【０１３７】
このようなことを回避するために、ステップＳ１２０４の判断の結果、通信電波状態が悪化している場合は、例えば、図１５（ａ）に示す表示画面１５０１を表示してもよい。図１５（ａ）に示すように使用者に対して、通信電波状態が悪化した旨を通知し、使用者が分割表示の実行許可したときのみステップＳ１２０６に進んで以降の処理を行うようにしてもよい。そして、表示画面１５０１のような通知をして使用者が分割表示の実行を許可しなかった場合は、ステップＳ１２０６には進まずステップＳ１２０３に進むようにしてもよい。
【０１３８】
本実施形態では、以下に説明するように無線接続した撮像装置間のノイズ比が設定された値を超えたことをトリガーにして表示内容を切り替えるものである。ところが、ステップＳ１２０３においては、通信相手が存在しない、または無線接続した別の撮像装置１００２との通信電波状態が良好であるので別の撮像装置１００２と近距離に位置し、遮蔽物などもなく保持者が直接見せあうことができる。このため、システム制御回路９０９は、撮像装置１００１が保持している画像のみを画像表示部９１３にフル画面で表示し、ステップＳ１２０５に進む。
【０１３９】
次に、ステップＳ１２０５において、システム制御回路９０９は、不図示のモード切替スイッチ等の操作によって再生処理終了指示があるかないかをチェックする。このチェックの結果、再生処理終了指示があった場合は、ステップＳ１２３１に進んで再生処理を終了する。一方、ステップＳ１２０５のチェックの結果、再生処理終了指示が無かった場合は、ステップＳ１２０２に戻る。
【０１４０】
一方、ステップＳ１２０６において、システム制御回路９０９は図１１の再生操作準備処理のステップＳ１１０６及びＳ１１０７によって通信相手である別の撮像装置１００２とお互いが保持する全ての画像データの送受信が事前に行われたか否かをチェックする。このチェックの結果、画像データの送受信が行われた場合はステップＳ１２０７へ進む。一方、ステップＳ１２０６のチェックの結果、画像データの送受信が行われていない場合はステップＳ１２１８に進む。
【０１４１】
次に、ステップＳ１２０７において、ステップＳ１１０６で別の撮像装置１００２に送信後、自身が撮影を行って追加された画像があれば、システム制御回路９０９により無線通信制御部９２５を介して、該当する画像データを別の撮像装置１００２に送信する。これにより、別の撮像装置１００２には撮像装置１００１が保持する全ての画像データが渡されていることになる。
【０１４２】
次に、ステップＳ１２０８において、ステップＳ１１０７で別の撮像装置１００２から画像データを受信した後、別の撮像装置１００２で撮影を行い追加された画像があれば、システム制御回路９０９により無線通信制御部９２５を介して、該当する画像データを別の撮像装置１００２に対して送信するように要求する。そして、別の撮像装置１００２から該当する画像データを受信し、画像保存用の第１のメモリ９１２の中の別の撮像装置１００２が保持する画像データ用に割り当てた領域に記憶する。これにより、撮像装置１００１には別の撮像装置１００２が保持する全ての画像データが渡されていることになる。
【０１４３】
次に、ステップＳ１２０９において、ステップＳ１１０６で別の撮像装置１００２に送信した後、元々保持していた画像の中で削除された画像があれば、システム制御回路９０９は、該当する画像のファイル名を別の撮像装置１００２に通知する。そして、別の撮像装置１００２側では、ステップＳ１１０６で撮像装置１００１から受信したデータのうち削除された旨を通知された画像のデータが削除される。これにより、ステップＳ１２０９の時点で撮像装置１００１が保持する全ての画像データと撮像装置１００１から別の撮像装置１００２に渡されている画像データとが完全に一致する。
【０１４４】
次に、ステップＳ１２１０において、ステップＳ１１０７で別の撮像装置１００２から画像データを受信した後、別の撮像装置１００２が元々保持していた画像の中で削除された画像があれば、システム制御回路９０９は、該当する画像のファイル名を別の撮像装置１００２に対して通知するように要求する。
【０１４５】
別の撮像装置１００２から該当する画像のファイル名の通知を受けて、システム制御回路９０９は、ステップＳ１１０７で別の撮像装置１００２から受信して第１のメモリ９１２に記憶された画像データのうち削除された旨を通知された画像のデータを削除する。これにより、ステップＳ１２１０の時点で別の撮像装置１００２が保持する全ての画像データと、別の撮像装置１００２のから受信し、第１のメモリ９１２の中の別の撮像装置１００２が保持する画像データ用の領域に記憶された画像データとが完全に一致する。
【０１４６】
次に、ステップＳ１２１１において、システム制御回路９０９は、撮像装置１００１の画像表示部９１３を、図１０に示すように表示画面１００４が二分割された状態にする。そして、ステップＳ１２１２において、システム制御回路９０９の制御により、ステップＳ１２１１で二分割された画像表示部９１３の左半画面に、第１のメモリ９１２の中の別の撮像装置１００２が保持する画像データ用の領域から一つの画像を表示する。
【０１４７】
なお、第１のメモリ９１２の中の別の撮像装置１００２が保持する画像データ用の領域に複数画像データがある場合は、どの画像を選んで表示させてもよいが、Ｎａｍｅ順で最初になるファイル名の画像を再生モード時の最初に表示することが一般的に多い。そこで、本実施形態でもＮａｍｅ順で最初になるファイル名の画像を二分割された画像表示部９１３の左半画面に表示するものとする。
【０１４８】
次に、ステップＳ１２１３において、ステップＳ１２１１で二分割された画像表示部９１３の右半画面に、撮像装置１００１が保持する画像を表示する。第１の実施形態と同様に、本実施形態においても、自身が保持する画像を左半画面に表示させ、第１のメモリ９１２の中の別の撮像装置１００２が保持する画像データ用の領域に記憶された画像を右半画面に表示させてもよい。
【０１４９】
また、画像表示部９１３に表示される画面を二分割する方法を縦分割にして、上半画面に通信相手が保持する画像を表示させ、下半画面に自身が保持する画像を表示させても、またその逆であってもよい。また、画像情報等を表示する部分を独立して設け、それ以外の部分について二分割するような方法を用いてもよい。
【０１５０】
次に、ステップＳ１２１４において、操作部９２３に入力された操作信号に基づいてシステム制御回路９０９の制御により、再生操作を行う対象を設定する。図１３及び図１４は、本実施形態において、再生操作対象を選択している際の撮像装置１００１の外観構成を示す図である。
【０１５１】
本実施形態においても、図５及び図６に示すような第１の実施形態の撮像装置２０１と同様に、図１３及び図１４に示すように再生操作対象を設定するためにスライド式の再生操作対象設定スイッチ１３０１を備えている。撮像装置１００１が保持する画像（右半画面）の再生操作を行いたい場合は、使用者により再生操作対象設定スイッチ１３０１が図１３のように右側にスライドされて操作信号が入力され、システム制御回路９０９の制御により再生操作を行う対象を設定する。別の撮像装置１００２が保持する画像（左半画面）の再生操作を行いたい場合は、使用者により再生操作対象設定スイッチ１３０１が図１４のように左側にスライドされて操作信号が入力され、システム制御回路９０９の制御により再生操作を行う対象を設定する。
【０１５２】
次に、ステップＳ１２１５において、システム制御回路９０９の制御により、画像表示部９１３の左半画面に表示させた別の撮像装置１００２が保持する画像と、画像表示部９１３の右半画面に表示させた撮像装置１００１が保持する画像とを比較再生する。
【０１５３】
比較再生処理について、図１２−２のフローチャートを参照しながら詳しく説明する。
まず、ステップＳ１２１５１において、比較再生処理を開始する。次に、ステップＳ１２１５２において、システム制御回路９０９は、十字操作ボタン１３０２等を押下されて操作信号が操作部９２３に入力され、その操作信号に基づいて画像送り、画像戻りなど再生操作イベントが発生したかどうかをチェックする。
【０１５４】
このチェックの結果、再生操作イベントが発生した場合は、ステップＳ１２１５３に進む。一方、ステップＳ１２１５２のチェックの結果、再生操作イベントが発生していない場合はステップＳ１２１５８に進み、比較再生処理を終了する。
【０１５５】
次に、ステップＳ１２１５３において、システム制御回路９０９は、ステップＳ１２１４で設定した再生操作対象が第１のメモリ９１２の中の別の撮像装置１００２が保持する画像データ用に割り当てられた領域に記憶された画像かどうかをチェックする。このチェックの結果、再生対象が第１のメモリ９１２の中の別の撮像装置１００２が保持する画像データ用に割り当てた領域に記憶された画像である場合はステップＳ１２１５６に進む。一方、ステップＳ１２１５３のチェックの結果、再生対象が撮像装置１００１が保持する画像である場合はステップＳ１２１５４に進む。
【０１５６】
次に、ステップＳ１２１５４において、システム制御回路９０９は、操作部９２３に入力された操作信号に基づいて、画像表示部９１３の右半画面に表示される撮像装置１００１が保持する画像に対してステップＳ１２１５２で発生した再生操作イベント処理を行う。次に、ステップＳ１２１５５において、システム制御回路９０９の制御により、ステップＳ１２１５４の再生操作イベント処理に基づいて、画像表示部９１３の右半画面に表示される画像の更新を行う。そして、ステップＳ１２１５８進み、比較再生処理を終了する。
【０１５７】
一方、ステップＳ１２１５６においては、ステップＳ１２１５２で発生した再生操作イベントの処理対象が別の撮像装置１００２が保持する画像データ用に割り当てた領域に記憶された画像となる。そこで、システム制御回路９０９は、操作部９２３に入力された操作信号に基づいて、別の撮像装置１００２が保持する画像データ用に割り当てた領域の画像に対してステップＳ１２１５２で発生した再生操作イベント処理を行う。
【０１５８】
次に、ステップＳ１２１５７において、システム制御回路９０９の制御により、ステップＳ１２１５６の再生操作イベント処理に基づいて、画像表示部９１３の左半画面に表示される画像の更新を行う。そして、ステップＳ１２１５８進み、比較再生処理を終了する。以上の説明のとおり、本実施形態の比較再生処理においては撮像装置１００１と別の撮像装置１００２との間で無線通信上のデータのやり取りが全く発生しない。
【０１５９】
再度図１２−１の説明に戻り、ステップＳ１２１５の比較再生処理から復帰した後のシーケンスについて説明する。
ステップＳ１２１５の処理が終了し、次のステップＳ１２１６において、システム制御回路９０９は、操作部９２３に入力された操作信号に基づいて、モード切替スイッチ等の移動などにより再生処理の終了指示があったかどうかをチェックする。
【０１６０】
このチェックの結果、再生処理終了指示があった場合は、ステップＳ１２３１に進み、再生処理を終了する。一方、ステップＳ１２１６のチェックの結果、再生処理終了指示が無かった場合は、ステップＳ１２１７に進む。
【０１６１】
次に、ステップＳ１２１７において、ステップＳ１２０４と同様に、システム制御回路９０９の制御により電波状況測定部９２７は、通信相手である別の撮像装置１００２との間のノイズ比を測定する。そして、その測定から得られたノイズ比が再生操作準備処理のステップＳ１１０２において設定した基準ノイズ比より大きいかどうかを判断する。
【０１６２】
この判断の結果、測定したノイズ比が基準ノイズ比より小さい場合、つまり通信電波状態が悪化している場合は、ステップＳ１２１５に進み、再び比較再生処理を行う。一方、ステップＳ１２１７の判断の結果、測定したノイズ比が基準ノイズ比より大きい場合、つまり通信電波状態が良好な場合は、ステップＳ１２０３に進む。
【０１６３】
次に、ステップＳ１２０６のチェックの結果、お互いが保持する全ての画像データの送受信が事前に行われていない場合について説明する。なお、本実施形態では、ステップＳ１１０６とステップＳ１１０７とで行う画像データの事前の送受信を行っておくことが特徴である。よって、事前の送受信を行っていない場合は第１の実施形態に示した方法によって比較再生を行う。
【０１６４】
したがって、図１２−１のステップＳ１２１８からステップＳ１２２９までは、第１の実施形態における図３−１のステップＳ３０８からステップＳ３１９と全く同一である。また、ステップＳ１２２８で行う比較再生処理も第１の実施形態における比較再生処理と同じ方法で行う。そのため、ステップＳ１２１８からステップＳ１２２９までの説明は省略する。
【０１６５】
ステップＳ１２２９で再生処理の終了指示があったかどうかをチェックし、再生処理終了指示があった場合はステップＳ１２３１に進んで再生処理を終了する。再生処理終了指示が無かった場合はステップＳ１２３０に進む。
【０１６６】
次に、ステップＳ１２３０において、ステップＳ１２０４と同様に、システム制御回路９０９の制御により電波状況測定部９２７は通信相手である別の撮像装置１００２との間のノイズ比を測定する。そして、その測定から得られたノイズ比が再生操作準備処理のステップＳ１１０２において設定した基準ノイズ比より大きいかどうかを判断する。
【０１６７】
この判断の結果、測定したノイズ比が基準ノイズ比より小さい場合、つまり通信電波状態が悪化している場合は、ステップＳ１２２８に進み、再び比較再生処理を行う。一方、ステップＳ１２３０の判断の結果、測定したノイズ比が基準ノイズ比より大きい場合、つまり通信電波状態が良好な場合は、ステップＳ１２０３に進む。
【０１６８】
なお、ステップＳ１２１７またはステップＳ１２３０の判断の結果、通信電波状態が良好な場合は、無条件でステップＳ１２０３に戻り、今度は撮像装置１００１が保持する画像のみ表示する処理を行う。ところが、使用状況によっては、使用者が分割して表示する処理を継続したい場合もある。例えば、画像表示を分割して撮像装置１００１と別の撮像装置１００２とが所有する画像の比較を行っていた時に、通信電波状態が良好になったため、いきなり分割状態から単一のもとの状態にされると使用者の作業に影響を及ぼす。
【０１６９】
このようなことを回避するために、ステップＳ１２１７またはステップＳ１２３０の判断の結果、通信電波状態が良好な場合に、図１５（ｂ）に示す表示画面１５０２を表示してもよい。図１５（ｂ）に示すように通信電波状態が良好である旨を通知し、使用者が分割表示の終了を許可したときのみステップＳ１２０３に進んで以降の処理を行うようにしてもよい。そして、表示画面１５０２のような通知をして、使用者により分割表示の実行を継続するように指示された場合は、ステップＳ１２０３には進まず、分割表示した状態での比較再生処理を継続するようにしてもよい。
【０１７０】
以上により本実施形態においては、外部装置との間の通信電波状態を測定し、測定結果に応じて、表示部に表示する内容を切り替えるようにした。これにより、無線接続した機器間の通信電波状態が悪化したことを検知すると自身の機器の表示部に接続相手機器の画像を自動的に表示することが可能となる。よって、画像交換を行うためにお互いの機器が保持する画像を確認する際に、お互いの機器が近距離に位置しているが遮蔽物などによって直接見せ合うことができなくなる場合に相手の保持する画像が自身の機器に表示されるようになる。これにより、円滑に相手機器にある画像の確認を行うことが可能となる。
【０１７１】
また、通信電波状態が良好なときに無線接続した機器間であらかじめお互いが保持するすべての画像データの交換を行っておく。そして、通信電波状態が悪化したときはあらかじめ交換を行ったときからの差分の取得、削除を一度だけ行う。その後は本実施形態の比較再生処理で説明したように無線通信による画像データ転送を行うことなく相手機器にある画像の確認を行うことが可能となる。これにより、通信電波状態が悪化した状態での転送処理を避けることができ、使用者に対してストレスを与えるような処理を回避し、なおかつ無駄に電力を消費することも無くなるという効果がある。
【０１７２】
（本発明に係る他の実施形態）
なお、第１〜第４の実施形態において、自身の機器の画像表示部に接続相手機器の画像を表示させる場合に画像データそのものを受信するようにした。一方、第１〜第４の実施形態において、画像表示部へ表示するために画像データそのものではなくサムネイル画像等の縮小したサイズの画像データで十分である。そこでトランザクションの回避のため通信相手からはサムネイル画像や画像サイズを縮小した静止画像、フレーム数を削減した動画像などの画像データを受信し、それを利用して画像表示部への表示を行うような形態にしてもよい。
【０１７３】
また、第１〜第４の実施形態において、別の撮像装置を接続相手とした。一方、第１〜第４の実施形態において、本発明の撮像装置同士、つまり図２の撮像装置２０１や図１０の撮像装置１００１同士が無線接続するような構成にしてもよい。
【０１７４】
さらに、第１〜第４の実施形態において、本発明の撮像装置と無線接続する対象を撮像装置とした。一方、第１〜第４の実施形態において、画像転送機能を備えているという前提を満たすならば、無線接続する対象は画像転送装置であってもよい。
【０１７５】
前述した本発明の実施形態における撮像装置を構成する各手段、並びに撮像装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【０１７６】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【０１７７】
なお、本発明は、前述した実施形態の機能を実現するソフトウェアのプログラム（実施形態では図３−１、３−２、７、８、１１、１２−１、１２−２に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【０１７８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１７９】
その場合、プログラムの機能を有していれば、オブジェクトコード、インタプリタにより実行されるプログラム、ＯＳに供給するスクリプトデータ等の形態であってもよい。
【０１８０】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【０１８１】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【０１８２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数の使用者に対してダウンロードさせるＷＷＷサーバも、本発明に含まれるものである。
【０１８３】
また、その他の方法として、本発明のプログラムを暗号化してＣＤ−ＲＯＭ等の記録媒体に格納して使用者に配布し、所定の条件をクリアした使用者に対し、インターネットを介してホームページから暗号化を解く鍵情報をダウンロードさせる。そして、その鍵情報を使用することにより暗号化されたプログラムを実行してコンピュータにインストールさせて実現することも可能である。
【０１８４】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１８５】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１８６】
【図１】本発明の第１の実施形態における撮像装置の機能構成例を示すブロック図である。
【図２】本発明の第１の実施形態において、別の撮像装置と通信している概要を示す図である。
【図３−１】本発明の第１の実施形態における再生処理シーケンスの一例を示すフローチャートである。
【図３−２】本発明の第１の実施形態における比較再生処理シーケンスの一例を示すフローチャートである。
【図４】本発明の第１の実施形態における分割表示開始または終了の通知の一例を示す図である。
【図５】本発明の第１の実施形態における再生操作対象選択時の概要を示す図である。
【図６】本発明の第１の実施形態における再生操作対象選択時の概要を示す図である。
【図７】本発明の第２の実施形態における比較再生処理シーケンスの一例を示すフローチャートである。
【図８】本発明の第３の実施形態における比較再生処理シーケンスの一例を示すフローチャートである。
【図９】本発明の第４の実施形態における撮像装置の機能構成例を示すブロック図である。
【図１０】本発明の第４の実施形態において、別の撮像装置と通信している概要を示す図である。
【図１１】本発明の第４の実施形態における再生操作準備処理シーケンスの一例を示すフローチャートである。
【図１２−１】本発明の第４の実施形態における再生処理シーケンスの一例を示すフローチャートである。
【図１２−２】本発明の第４の実施形態における比較再生処理シーケンスの一例を示すフローチャートである。
【図１３】本発明の第４の実施形態における再生操作対象選択時の概要を示す図である。
【図１４】本発明の第４の実施形態における再生操作対象選択時の概要を示す図である。
【図１５】本発明の第４の実施形態における分割表示開始または終了の通知の一例を示す図である。
【符号の説明】
【０１８７】
１０１、９０１  撮像装置
１０２、９０２  撮影レンズ
１０３、９０３  シャッター
１０４、９０４  撮像素子
１０５、９０５  Ａ／Ｄ変換器
１０６、９０６  タイミング発生回路
１０７、９０７  Ｄ／Ａ変換器
１０８、９０８  メモリ制御回路
１０９、９０９  システム制御回路
１１０、９１０  画像処理回路
１１１、９１１  画像表示メモリ
１１２、９１２  第１のメモリ
１１３、９１３  画像表示部
１１４、９１４  露光制御部
１１５、９１５  測距制御部
１１６、９１６  ズーム制御部
１１７、９１７  フラッシュ部
１１８、９１８  電源制御部
１１９、９１９  電源部
１２０、９２０  第２のメモリ
１２１、９２１  表示部
１２２、９２２  不揮発性メモリ
１２３、９２３  操作部
１２４、９２４  シャッタースイッチ
１２５、９２５  無線通信制御部
１２６、９２６  アンテナ部
１２７  距離測定部
２０１  撮像装置
２０２  別の撮像装置
５０１、１３０１  再生操作対象設定スイッチ
５０２、１３０２  十字操作ボタン
９２７  電波状況測定部
１００１  撮像装置
１００２  別の撮像装置
【図１】
2008187499.tif 000003
【図２】
2008187499.tif 000004
【図３−１】
2008187499.tif 000005
【図３−２】
2008187499.tif 000006
【図４】
2008187499.tif 000007
【図５】
2008187499.tif 000008
【図６】
2008187499.tif 000009
【図７】
2008187499.tif 000010
【図８】
2008187499.tif 000011
【図９】
2008187499.tif 000012
【図１０】
2008187499.tif 000013
【図１１】
2008187499.tif 000014
【図１２−１】
2008187499.tif 000015
【図１２−２】
2008187499.tif 000016
【図１３】
2008187499.tif 000017
【図１４】
2008187499.tif 000018
【図１５】
2008187499.tif 000019